(57)【要約】【課題】電気テスターの本体部を検査台に載置して作業した場合、不意に台上から転落して電気テスターを破損させるおそれがあった。【解決手段】遊技機検査装置の台座１０に略箱状のケーシング６０を取り付けて、同ケーシング６０に電気テスター５０の本体部５１を着脱可能に収容する。かかる構成により、電気テスター５０は台座１０に固定され転落等が防止される。また、電気テスター５０は着脱可能であるため生産機種等の切り換えに対応して取り替えることが可能である。さらに、電気テスター５０は反転させてケーシング６０に挿入することもできるため、コード５２を左側に導出させることも可能である。従って、作業者の利き腕の方向にも対応することができて使いやすい。【選択図】  図１
2004305532.tif 000002
【特許請求の範囲】
【請求項１】
底部にて接地する略箱状の台座と、上記台座の上部にて遊技機を起立させた状態で保持しつつ水平方向に回転させることが可能なターンテーブルと、上記遊技機に電源を供給する電源供給手段と、上記遊技機に備えられる検査用端子に電気的に接続し遊技機内部の導通検査を行う電気テスターとが備えられる遊技機検査装置において、
上記電気テスターは、略直方体の本体部と、
上記本体部の側面から導出されるコードと、
上記本体部の上面に備えられる検査状態を表示する表示パネルと、
上記コードの先端に備えられる上記遊技機に備えられる検査用出力端子に接続可能な端子部とを具備するとともに、
上記台座には、上記本体部よりやや大きい略箱状部材であって、上記本体部を着脱可能に収容するケーシングが取り付けられることを特徴とする遊技機検査装置。
【発明の詳細な説明】
【０００１】
【発明の属する技術分野】
本発明は、遊技機検査装置に関し、特に、電気テスターを用いて遊技機の電気的な検査を行う遊技機検査装置に関する。
【０００２】
【従来の技術】
従来、この種の遊技機検査装置は、遊技機検査装置の台座と電気テスターとが個別に形成され、上記電気テスターを上記台座に載置して使用するものが知られている。
【０００３】
【発明が解決しようとする課題】
上述した従来の遊技機検査装置においては、次のような課題があった。
電気テスターの本体部を検査台に載置して作業した場合、電気テスターの端子部を遊技機に接続等するときに不意に台上から転落して電気テスターを破損させるおそれがあった。また、電気テスターの本体部を作業者が持って作業をした場合、片手が塞がっていまい作業効率が低下するという課題があった。
【０００４】
一方、電気テスターを作業台に固着すれば、上述のような課題は解決されることとなるが、電気テスターは各機種毎に異なる信号パターンに対応したものに変更しなければならないため、生産機種の切換の度に取り付け、取り外しを行うのが煩雑であった。さらに、電気テスターの遊技機に接続するための端子の方向も一定方向となるため作業者の利き腕等の使い勝手に対応することができないという課題があった。
本発明は、上記課題にかんがみてなされたもので、電気テスターの本体部を作業台に固定しつつも、付け外しが簡易な遊技機検査装置の提供を目的とする。
【０００５】
【課題を解決するための手段】
上記目的を達成するため、請求項１にかかる発明は、底部にて接地する略箱状の台座と、上記台座の上部にて遊技機を起立させた状態で保持しつつ水平方向に回転させることが可能なターンテーブルと、上記遊技機に電源を供給する電源供給手段と、上記遊技機に備えられる検査用端子に電気的に接続し遊技機内部の導通検査を行う電気テスターとが備えられる遊技機検査装置において、
上記電気テスターは、略直方体の本体部と、上記本体部の側面から導出されるコードと、上記本体部の上面に備えられる検査状態を表示する表示パネルと、上記コードの先端に備えられる上記遊技機に備えられる検査用出力端子に接続可能な端子部とを具備するとともに、上記台座には、上記本体部よりやや大きい略箱状部材であって、上記本体部を着脱可能に収容するケーシングが取り付けられる構成としてある。
【０００６】
上記のように構成した請求項１にかかる発明において、上部に上記ターンテーブルを備える略箱状の台座が底部にて接地する。上記ターンテーブルは、検査対象の遊技機を起立させた状態で水平方向に回転させることが可能である。また、上記遊技機に電源を供給する電源ユニットが備えられるため、上記遊技機をホールにおける設置状態に近い状態で作動させつつ、上記電気テスターにて電気的な検査をすることが可能である。また、遊技機は起立状態となっているため、各種能動部材の動作状況を目視で確認することも容易であるし、検査対象の遊技機は上記ターンテーブルにより回転可能であるため作業しやすい方向に配向させることができる。
【０００７】
上記電気テスターは、略直方体の本体部を有しており、同本体部は上記ケーシングに収容された状態で上記台座に固定保持される。従って、上記本体部の側面から導出される上記コードの先端に備えられた上記端子部を、上記遊技機の検査用端子に接続するにあたり、不意に上記コードを介して上記本体部を引っ張って落としてしまうことがない。また、上記本体部を手に持って作業する必要がなくて済む。
【０００８】
さらに、上記ケーシングは上記本体部よりやや大きい略箱状となっており、上記本体部を内部に着脱可能に収容するため、上記電気テスターの交換を行うことが可能である。従って、検査対象の遊技機の仕様が変更され、検査を行う電気テスターを変更する場合には、容易に新規の電気テスターを付け替えることができる。ここで、検査対象となる遊技機は必ずしも完成品である必要はなく、ある程度、機構部材が取り付けられて動作可能な中間工程のものであってもよい。
本発明は、上記の構成に限られるものではなく、以下の手段も含むものである。
【０００９】
手段１
手段１にかかる発明は、請求項１に記載の発明において、上記ケーシングは、一側面を取り去ることにより略四角形の外縁を有する開口面が形成され、同開口面から上記本体部を上記ケーシングの内部にスライド挿入することが可能となっている構成としてある。
上記のように構成した手段１の発明は、略箱状の上記ケーシングの一側面は取り去れた態様となっており、当該側面側は略四角形の外縁を有する開口面が形成される。上記本体部は上記開口面から上記ケーシングの内部にスライド挿入されることにより、上記ケーシングの内部に収容される。
【００１０】
手段２
手段２にかかる発明は、手段１に記載の発明において、上記ケーシングは、上記本体部を上記ケーシングに収容したとき、上記開口面側に配向する上記本体部の側面に上記開口面の外側から当接することにより、上記本体部が上記ケーシングから不用意に抜けてしまうことを防止するストッパーを具備する構成としてある。
上記のように構成した手段２の発明は、上記本体部を上記ケーシングに収容したとき上記開口面側に位置する上記本体部の側面は、上記ストッパーによって上記開口面の外側から当接される。従って、上記本体部は上記ケーシングの外側にスライドすることができなくなり、不用意に抜けてしまうことがない。
【００１１】
手段３
手段３にかかる発明は、手段２に記載の発明において、上記コードが導出された側面に上記ストッパーが当接するとき、上記ストッパーは上記コードに干渉しない構成としてある。
上記のように構成した手段３の発明は、上記本体部を、上記開口面側に上記本体部の上記コードが導出された側面が向くように上記ケーシングに挿入し、当該側面に上記ストッパーを上記開口面の外側から当接させたとき、上記コードに上記ストッパーが干渉しない。すなわち、上記開口面側に上記本体部の上記コードが導出された側面が向く方向に上記本体部を上記ケーシングを挿入しつつ、上記ストッパーにて抜け止めをすることが可能となる。このとき、上記コードは上記開口面から上記ケーシングの外側に導出される。
【００１２】
手段４
手段４にかかる発明は、手段２から手段３のいずれかに記載の発明において、上記ケーシングの上記開口面に対向する側面には、当該側面に上記本体部の上記コードが導出された側面が向くように上記本体部を上記ケーシングに挿入したとき、上記コードに当該側面が干渉しないように窓部が設けられている構成としてある。
上記のように構成した手段４の発明は、上記ケーシングの上記開口面に対向する側面に窓部が設けられる。当該側面に上記コードが導出された上記本体部の側面が向くように上記本体部を上記ケーシングに挿入したとき、上記窓部によって当該側面と上記コードが干渉することが防止される。すなわち、上記開口面に対向する側面に上記コードの導出面を配向させて、上記本体部を上記ケーシングに挿入させることができる。このとき、上記コードは上記窓部から上記ケーシングの外側に導出される。すなわち、上記本体部を上記コードが上記開口面側に向くように挿入させることができるし、上記コードが上記開口面と対向する側面側に向くように挿入させることができる。従って、上記コードの導出方向を使いやすい方向に選択して使用することが可能となる。
【００１３】
手段５
手段５にかかる発明は、手段２から手段４のいずれかに記載の発明において、上記ストッパーは細幅の板状部材であるとともに、上記ケーシングの上記開口面の外縁を構成する一辺の外側に、軸方向が上記開口面に対して垂直な回転連結軸を設け、当該回転連結軸にて上記ストッパーの長さ方向の一端を回転可能に連結し、上記ストッパーの長さ方向のもう一端である自由端の回転軌道上であって、当該回転連結軸が備えられない他の上記開口面の外縁を構成する一辺の外側に、同自由端を固定するための固定機構が備えられる構成としてある。
【００１４】
上記のように構成した手段５の発明は、上記ストッパーは細幅の板状部材であり、長さ方向の一端が、上記開口面を構成する一辺の外側において、軸方向が上記開口面に対して垂直な回転連結軸により連結される。従って、上記ストッパーは上記開口面と略平行に回転可能となる。一方、この回転の自由端となる上記ストッパーの長さ方向のもう一端は、上記開口面を構成する一辺であって、上記回転軸が備えられない他の一辺の外側に備えられた上記固定機構により固定される。すなわち、略四角形の外縁を有する上記開口面を横切るように上記ストッパーが上記本体部に当接するため、上記本体部が上記ケーシングの外側に抜けてしまうことが防止される。さらに、上記自由端側を上記開口面の外側に位置させるように上記ストッパーを回転させると、上記開口面内に上記ストッパーは存在しなくなる。従って、このとき上記本体部が上記ケーシングに対して出し入れ可能となる。
【００１５】
手段６
手段６にかかる発明は、手段５に記載の発明において、上記固定機構は、上記自由端に切り欠きを形成するとともに、同切り欠きに上記開口面に対して垂直なネジの軸部を挿し込みつつ、ネジを締め付けることにより上記自由端を固定する構成としてある。
上記のように構成した手段６の発明は、上記ストッパーの上記自由端に切り欠きを形成し、同切り欠きに対して上記開口面に対して垂直なネジの軸部を挿し込む。そして、上記ネジを締め付けることにより上記ストッパーの上記自由端は固定される。
【００１６】
手段７
手段７にかかる発明は、手段６に記載の発明において、上記ネジは蝶ネジである構成としてある。
上記のように構成した手段７の発明は、上記ネジは蝶ネジであるため、ドライバー等を必要とすることなく簡単に締め付けることが可能である。
【００１７】
手段８
手段８にかかる発明は、手段１から手段７のいずれかに記載の発明において、上記ケーシングは、上記ケーシングの内部に上記本体部を収容したとき、上記表示パネルを視認することができるように上面に視認窓が設けられる構成としてある。
上記のように構成した手段８の発明は、上記ケーシングに上記視認窓が設けられるため、上記本体部を上記ケーシングに収容させても上記表示パネルを視認することが可能である。
【００１８】
手段９
手段９にかかる発明は、手段１から手段８のいずれかに記載の発明において、上記ケーシングは、一側面を下側に向けて延出させることにより平板状の取り付け部が形成されている構成としてある。
上記のように構成した手段９の発明は、上記ケーシングの一側面が下側に延出されて、平板状の取り付け部が形成される。すなわち、上記台座との取り付け面積が増大して安定して固定することが可能となる。
【００１９】
手段１０
手段１０にかかる発明は、手段９に記載の発明において、上記取り付け部には、上記台座に上記ケーシングを固定するためのネジ止め穴が設けられる構成としてある。
上記のように構成した手段１０の発明は、上記取り付け部に形成された上記ネジ止め穴にてネジ止め固定することにより、上記ケーシングは上記台座へ固定される。なお、上記取り付け部は上記ケーシングの外側にあるため、上記ケーシングの側面がネジ止め固定作業の妨げとならない。
【００２０】
手段１１
手段１１にかかる発明は、手段１から手段９のいずれかに記載の発明において、上記台座には、上記ケーシングを着脱可能に保持するホルダーが備えられる構成としてある。
上記のように構成した手段１１の発明は、上記台座に上記ケーシングを着脱可能に保持するホルダーが備えることにより、上記ケーシング自体も上記台座に対して着脱自在となって使い勝手がよい。
【００２１】
手段１２
手段１２にかかる発明は、手段１１に記載の発明において、上記ホルダーには、上方に向かって開口する上記取り付け部の厚みの分だけ上記台座との間隔が隔てられる隙間部分が設けられるとともに、同隙間部分に上記取り付け部を上方から差し込むことにより上記ケーシングを保持する構成としてある。
上記のように構成した手段１２の発明は、上記台座に取り付けられる上記ホルダーに上方に向かって開口する上記隙間部分を設け、同隙間部分に上記ケーシングの上記取り付け部を挿し込む。上記隙間部分は上記台座と上記取り付け部の厚み分だけの間隔を有しているため、上記取り付け部は上記台座と上記ホルダーに挟まれて保持固定される。
【００２２】
手段１３
手段１３にかかる発明は、手段１１から手段１２のいずれかに記載の発明において、上記ホルダーは、上記台座の前面および左右両側面に取り付けられる構成としてある。
上記のように構成した手段１３の発明は、上記台座の前面および左右両側面に上記ホルダーを取り付けることにより、上記電気テスターを様々な位置に配置させることが可能となって便利である。
【００２３】
【発明の効果】
以上説明したように、請求項１にかかる発明によれば、電気テスターが落下等することがないとともに、電気テスターの交換が簡易な遊技機検査装置を提供することができる。
手段１にかかる発明によれば、ケーシング内に電気テスターを固定保持することができる。
手段２にかかる発明によれば、ストッパーが独立部材とならないため、紛失等の可能性を低減させることができる。
手段３にかかる発明によれば、コードをケーシングの開口面から導出させることができる。
【００２４】
手段４にかかる発明によれば、ケーシングからのコードの導出方向を、ケーシングの開口面側とすることができるとともに、ケーシングの開口面に対向する側面側とすることもできるため、使いやすい方向を選択することが可能である。
手段５にかかる発明によれば、ストッパーが独立部材とならないため紛失等の可能性を低減させることができる。
手段６にかかる発明によれば、確実にストッパーを固定することができる。
手段７にかかる発明によれば、工具を使うことなく簡単にストッパーを固定することができる。
手段８にかかる発明によれば、ケーシングに本体部を収容したまま、検査状態を確認することができる。
【００２５】
手段９にかかる発明によれば、ケーシングを安定して台座に固定させることができる。
手段１０にかかる発明によれば、ケーシングをネジを用いて台座に固定させることができる。
手段１１にかかる発明によれば、ケーシングは台座に対して着脱自在とすることができる。
手段１２にかかる発明によれば、ケーシングをホルダーに簡易に取り付けることができる。
手段１３にかかる発明によれば、ケーシングを台座の様々な位置に配設することができる。
【００２６】
【発明の実施の形態】
以下、下記の順序に従って本発明の実施形態を説明する。
（１）遊技機検査装置の構成：
（２）ケーシングの構成：
（３）変形例：
【００２７】
（１）遊技機検査装置の構成：
図１は、本発明にかかる遊技機検査装置を斜めから見て示している。同図において、略箱状の台座１０の底面から下方に向かって四本の柱状の脚部１１が突設され、幅広に形成された同脚部の最下部にて接地面２０に接地している。台座１０の上面は、同台座１０の側面以外は高さが低く形成されており、凹形状となっている。同凹形状部１２の前方部分は、さらに高さが低く形成されており、検査用の遊技球の貯留部１３となっている。凹形状部１２の奥行き方向および幅方向の中央部には鉛直回転軸１４ａが設けられ、円盤状のターンテーブル１４を水平方向に回転可能に支持している。また、ターンテーブル１４の盤面上には遊技盤３０の下端面を保持するための固定治具１４ｂが配設されている。
【００２８】
台座１０の背面側から上方に向かって背面部１５が立設され、背面部１５の上端から、さらに前方に向かって天板１６が略水平に突設されている。天板１６の鉛直回転軸１４ａの軸線の延長上となる位置には、下方に向かってクランプ回転軸１７ａが垂設され、同クランプ回転軸１７ａ最下端にてクランプユニット１７が接合されている。なお、クランプユニット１７は同クランプユニット１７に備えられた駆動部により、遊技盤３０の上面を掴んで固定するクランプ状態と、遊技盤３０の上面を開放する解放状態とに切換可能であり、接地面２０上に載置された足踏み式スイッチ１８を踏みつけることにより、クランプ状態と解放状態とを切り換えることが可能となっている。
【００２９】
かかる構成により、遊技盤３０を台座１０にて起立させて回転可能に保持することが可能となる。従って、本実施形態における検査対象の遊技盤３０をホール設置時と同姿勢にて検査をすることが可能であるとともに、遊技盤３０を作業しやすい方向に回転させて検査することができる。なお、本実施形態における検査対象の遊技盤３０は、同遊技盤３０に対する各種部材の組み付けが完了した状態のものであって、背面側には各種機構部材が予め備えられるとともに、前面側には各種役物３２、入賞口３３、液晶表示装置３４等が予め備えられ、各部材の電気的な接続も完了している。
【００３０】
また、台座１０の内部には図示しない電源ユニットが備えられ、同電源ユニットにて台座１０の外部から入力された外部電源を遊技機を作動させるための適正な電源に変換している。また、同電源ユニットからは遊技盤３０に接続して電源を供給するための電源配線１９がターンテーブル１４の付近まで引き出されている。電源配線１９の末端にはコネクタ端子１９ａが備えられ、遊技盤３０の背面側に備えられる電源基板３６と電気的に接続することが可能となっている。
【００３１】
一方、台座１０の前方側面には、略箱状のケーシング６０がネジによって固着されている。ケーシング６０の内部には、電気テスター５０の本体部５１が収容されるとともに、右側側面から所定の長さを有するコード５２が導出されている。また、コード５２の先端には、遊技盤３０の背面に設けられる検査信号出力端子３７に挿入するための雄コネクタ５２ａが設けられている。コネクタ５２ａの先端方向には基板５２ｂが突出して形成されており、複数の独立したランド端子５２ｃが先端部分で露出している。
【００３２】
図２は、図１の状態からターンテーブル１４を１８０度回転させて前方方向に遊技盤３０の背面側が配向する状態を示している。遊技盤３０の背面の右上隅には電源基板３６が配設され、同電源基板３６上には雌コネクタ３６ａが備えられている。雌コネクタ３６ａに電源配線１９のコネクタ端子１９ａを嵌挿させることにより、遊技盤３０に電源が供給される。さらに、同電源基板３６上に設けられたメインスイッチ３６ｂをＯＮに切り換えると遊技盤３０の前面に備えられた各種可動部材、表示装置３４等が作動を開始する。
【００３３】
また、遊技盤３０の背面の幅方向略中央の下方には、検査用の信号が出力可能な検査信号出力端子３７が備えられている。この信号出力端子３７と遊技盤３０の各所に備えられる各種基板とは、複数の信号線により接続されている。そして、メインスイッチ３６ｂをＯＮに切り換えたとき、検査信号出力端子３７に各種基板の電圧値、電流値、パルス等の電気的な情報が出力される。この複数の信号線は検査信号出力端子３７に備えられたバネ端子に個々に接続され、検査信号出力端子３７とコネクタ５２ａを接続させることにより、同バネ端子とランド端子５２ｃが接触して導通する。また、遊技盤３０の背面の下方右側（背面視）にも同様に形成された検査信号出力端子３８が備えられ、中央部の検査信号出力端子３７とは形状は同一となるものの、異なる検査情報が出力可能となっている。
【００３４】
かかる構成により、遊技盤３０を背面側を前方に向けて、電源基板３６上の雌コネクタ３６ａと電源配線１９のコネクタ端子１９ａとを作業者の手元にて容易に接続させることができ作業効率がよいものとなる。同様の理由により、メインスイッチ３６ｂを切り換える作業も効率化する。さらに、電気テスター５０のコネクタ５２ａを検査信号出力端子３７および検査信号出力端子３８に接続して電気的な検査を行うにあたっても、作業がしやすいものとなっている。
【００３５】
また、電気テスター５０の本体部５１は台座１０に固定して取り付けられているため、作業者は手に持って作業する必要がなく、接続作業中に不意に落下させてしまう心配もない。コード５２は右側から導出されているため、右利きの作業者であれば利き手でコネクタ５２ａを持ち接続でき作業がしやすい。また、検査信号出力端子３７および検査信号出力端子３８は遊技盤３０の中央から右（背面視）に位置するため、コード５２を長く形成する必要がない。なお、コード５２を長く形成すると、作業の邪魔となるほか、ターンテーブル１４等の可動部に絡まる等の不具合が発生する可能性が高くなる。
【００３６】
なお、電気テスター５０の本体部５１の内部にて、コネクタ５２ａが取得した各信号は測定されるとともに、その測定値が規定の良品条件を満足しているのであれば、本体部５１の上面に設けられた表示パネル５３のＬＥＤ５３ａを点灯させる。一方、測定値が規定の良品条件を満足していないのであれば、ＬＥＤ５３ａを点滅させる。いずれの場合であっても、表示パネル５３は作業者側に配向しているため、作業者は容易に視認することが可能である。なお、本実施形態における遊技盤３０は、二つの検査信号出力端子３７、検査信号出力端子３８を備えるため、これらを順に検査することとなる。
【００３７】
このように、電気テスター５０により電気的な検査が完了すると、電気テスター５０のコネクタ５２ａは取り外され、遊技盤３０はターンテーブル１４により１８０度反転させられて前面が前方を向くようにさせられる。このとき、遊技盤３０は電源が投入された状態にあるため、同状態おいて、液晶表示装置３４の表示および役物３２の発光状況が正常であるか否かを作業者は目視検査する。
【００３８】
さらに、遊技球の貯留部１３から遊技球を取り出して、入賞口３３に遊技球を投入する。ここで、正常な遊技盤であれば所定数入賞口３３に遊技球が投入されると遊技状態が通常状態から特別状態に切り換えられ、液晶表示装置３４の表示状況や役物３２の発光状況も変化することとなる。すなわち、入賞口３３に遊技球を投入し意図的に特別状態を発生させることにより、特別状態における液晶表示装置３４、役物３２の動作状況の目視検査を行っている。むろん、特別状態に切り替わるか否かも判断することができる。
【００３９】
以上の検査が完了すると遊技盤３０はターンテーブル１４から取り外されて、良品であれば次工程に払い出される。不良品であれば他の検査手段により、不具合箇所の検出、不良解析等が行われる。
【００４０】
（２）ケーシングの構成：
図３は、電気テスター５０を斜め上方から見て示している。同図において、略直方体形状の本体部５０の上面には、表示パネル５３が備えらている。表示パネル５３の幅方向中央部には長さ方向に一列に整列させられてＬＥＤ５３ａ１〜５３ａ４が配設されている。各ＬＥＤ５３ａ１〜５３ａ４は、コード５２の先端に備えられるコネクタ５２ａの各ランド端子５２ｃ１〜ｃ４に対応させられている。例えば、ランド端子５２ｃ１に入力された検査信号が不正であれば、ＬＥＤ５３ａ１が点滅を繰り返すようにされている。従って、表示パネル５３の点灯状況を確認することにより、不具合箇所を特定することが可能となっている。なお、コード５２は、コネクタ５２ｃにより本体部５１の長手方向の一側面から外部へ導出されている。
【００４１】
図４は、ケーシング６０を斜め上方から見て示している。ケーシング６０は、金属板を打ち抜きプレス加工することにより形成されている。同図において、ケーシング６０は略箱状となっており、わずかな隙間をもって電気テスター５０の本体部５１を内部に収容することが可能となっている。ケーシング６０の長手方向の一側面は取り去られ隣接する四面の端面により囲まれた四角形の開口面６０ａが形成されている。同開口面６０ａに対向する面には、幅方向両側から内側に向かって直角に折り返して形成した二枚の停止板６０ｂ１，６０ｂ２が形成されている。停止板６０ｂ１，６０ｂ２は所定の間隔を隔てて対峙し、幅方向中央部に隙間を形成している。
【００４２】
一方、ケーシング６０の上面は所定の開口面積を有する四角形状の表示窓６０ｃが設けられている。ケーシング６０の幅方向一側面を下方に向かって真っ直ぐに延設することにより、平板状の取り付け部６０ｄが形成されている。同取り付け部６０ｄには、三穴のネジ止め穴６０ｄ１〜６０ｄ３が貫通させて設けられている。ケーシング６０の底面の開口面６０ａ側端面の外側には、軸方向が開口面６０ａに対して垂直な略円筒形のネジ受け部６１が接合されている。
【００４３】
ネジ受け部６１において、幅を狭く形成するとともに長さがケーシング６０の厚みとほぼ同等に形成されたストッパー６２がネジ６１ａにより螺設されている。ネジ６１ａにより螺設されたストッパー６２の一端に、略円形状の連結部６２ａが形成されており、同連結部６２ａの中心部に螺設穴６２ｂが貫通させて設けられている。そして、螺設穴６２ｂよりやや細径の軸部を有するネジ６１ａでネジ受け部６１にネジ止めすることにより、ストッパー６２は開口面６０ａに平行に回転可能とされている。
【００４４】
一方、ストッパー６２のもう一端には、略円形の固定部６２ｃが設けられ、同固定部６２ｃには、ストッパー６２の長さ方向に垂直な切り欠き６２ｄが、同幅方向中程まで形成されている。さらに、切り欠き６２ｄの回転軌道上であって、ケーシング６０の上面の外側には、略円筒状のネジ受け部６３が接合されている。ネジ受け部６３も軸方向が開口面６０ａに対して垂直とされており、蝶ネジ６３ａが螺設されている。また、固定部６２ｃを開口面６０ａの外部に位置させるようにストッパー６２を回動させたとき、連結部６２ａの円弧状の外縁が開口面６０ａの内部に突出しないように、連結部６２ａの外径が小さめに設定されている。
【００４５】
かかる構成により、ケーシング６０に電気テスター５０の本体部５１を着脱可能に収容することが可能となる。図５は、ケーシング６０に電気テスター５０の本体部５１を収容した状態を示している。同図において、コード５２が取り付けられた面と対向する側面が停止板６０ｂ１，６０ｂ２に当接するまで、本体部５１を開口部６０ａから、長さ方向にスライド挿入させている。そして、ストッパー６２の切り欠き６２ｄに、蝶ネジ６３ａの軸部が差し込まれるまで、ストッパー６２を回動させて、蝶ネジ６３ａを締め付けて固定部６２ｃを固定している。
【００４６】
従って、本体部５１はケーシング６０に収容されるとともに、不用意に抜けてしまうことが防止される。各ネジ受け部６１，６３の接合位置は、ストッパー６２がコード５２のコネクタ５２ｃに干渉することのないような接合位置となっている。また、ケーシング６０の上面には、表示窓６０ｃが備えられているため、本体部５１の上面に備えられた表示パネル５３を視認することが可能となっている。
【００４７】
図６においても、ケーシング６０に電気テスター５０の本体部５１を収容した状態を示している。同図においては、コード５２が取り付けられた面を停止板６０ｂ１，６０ｂ２に当接させるように、本体部５１をケーシング６０に収容させている。停止板６０ｂ１，６０ｂ２は幅方向に所定の間隔を隔てて対峙し、同間隔はコード５２のコネクタ５２ｃより広いため、停止板６０ｂ１，６０ｂ２に干渉することなく、コード５２がケーシング６０から導出されている。ストッパー６２も図５と同様に固定されるため、本図の状態においても本体部５１が不用意に抜けてしまうことが防止されている。
【００４８】
すなわち、コード５２をいずれの方向にも導出させることができるように、本体部５１の収容方向が選択可能となっている。なお、本体部５１の上面の表示パネル５３は表示窓６０ｃにより、いずれの方向に挿入させても視認することが可能となっている。ここで、図２に示すように、取り付け部６０ｄのネジ止め穴６０ｄ１，６０ｄ２にて台座１０の前方にネジ止め固定した状態を見ると、開口面６０ａ側にコード５２が配向するように本体部５１が収容されコード５２が右側に向かって導出されている。この場合、台座１０の中央から右寄りに検査信号出力端子３７、検査信号出力端子３８が位置する遊技盤３０を検査するには作業がしやすい。また、右利きの作業者にとっても作業がしやすい。
【００４９】
しかしながら、遊技機の機種、仕様、作業者の利き腕によっては、コード５２が左側にある方が作業をしやすい場合がある。このような場合には、本体部５１を反転させてケーシング６０に挿入して固定させればよい。図７は、この状態を示している。同図において、台座１０に対して左側にコード５２が導出されている。従って、台座１０の左側に検査信号出力端子が位置する遊技盤の検査に好適であるし、左利きの作業者は作業がしやすい。
【００５０】
図２および図７の取り付け状態の切り換えは、蝶ネジ６３ａ、ストッパー６２を操作するだけで簡単にできるため、生産機種の切り換えや、作業者の交代毎に行ったとしても煩わしいものとならない。なお、ケーシング６０は取り付け部６０ｄにて台座１０に接するため、接触面積が大きい。従って、取り付け後の安定性がよい。また、ケーシング６０の外側にてネジ止め固定することができるため、ケーシング６０の各側面がドライバーの妨げとなることもなくて済む。
【００５１】
（３）変形例：
図８は本発明の一変形例にかかる遊技機検査装置を斜めから見て示している。同図において、台座１１０の前面、左側面、右側面には、それぞれホルダー１９０ｂ，１９０ａ，１９０ｃがネジ止め固定されている。そして、左側面のホルダー１９０ａにのみケーシング１６０および電気テスター１５０が取り付けられている。図９は、左側面のホルダー１９０ａにケーシング１６０を取り付ける状態を示している。同図において、ホルダー１９０ａは、上方に開口する略コの字状となっており、外側部分にて台座１１０の側面にネジ止め固定されている。ホルダー１９０ａの内側部位は屈曲されつつ、上方に開口する挿入部９０ａ１が形成されている。挿入部１９０ａ１と台座１１０の側面との間隔は、ケーシング１６０の一側面を下方に延設した取り付け部１６０ｄの厚みよりやや広く取られている。また、挿入部９０ａの幅も取り付け部１６０ｄの幅よりやや大きく形成されている。なお、他のホルダー１９０ｂ，１９０ｃも同様に形成されている。
【００５２】
かかる構成により、ケーシング１６０の取り付け位置が左右側面および前面のいずれか選択可能となるため、最も作業しやすい側に取り付けることが可能となる。また、電気テスター１５０の不使用時には取り外しておけば、突出物がないため邪魔とならない。むろん、本変形例においてもケーシング１６０に対する、電気テスター１５０の本体部１５１の挿入方向は変更可能であるため、コード１５２を作業のしやすい方向に配向させることが可能となっている。
【図面の簡単な説明】
【図１】本発明にかかる遊技機検査装置の斜視図
【図２】本発明にかかる遊技機検査装置の斜視図
【図３】本発明にかかる電気テスターの斜視図
【図４】本発明にかかるケーシングの斜視図
【図５】本発明にかかるケーシングおよび電気テスターの斜視図
【図６】本発明にかかるケーシングおよび電気テスターの斜視図
【図７】本発明にかかる遊技機検査装置の斜視図
【図８】本発明の変形例にかかる遊技機検査装置の斜視図
【図９】本発明の変形例にかかるケーシングとホルダーの斜視図
【符号の説明】
１０，１１０…台座
２０…接地面
３０…遊技盤
５０，１５０…電気テスター
５２…コード
５３…表示パネル
５１，１５１…本体部
６０，１６０…ケーシング
６０ａ…開口面
６０ｃ…表示窓
６２…ストッパー
【図１】
2004305532.tif 000003
【図２】
2004305532.tif 000004
【図３】
2004305532.tif 000005
【図４】
2004305532.tif 000006
【図５】
2004305532.tif 000007
【図６】
2004305532.tif 000008
【図７】
2004305532.tif 000009
【図８】
2004305532.tif 000010
【図９】
2004305532.tif 000011